(57)【要約】【目的】  本発明は、固定接点又は抵抗体の磨耗を低減することができる可動接点を提供する。【構成】  第１可動接点１００は、第１固定接点３００上を回転可能なリング状の金属板である。この第１可動接点１００は、ベース１１０と、ベース１１０の固着部１１２に連接された第１、第２アーム１２０ａ、１２０ｂと、第１、第２アーム１２０ａ、１２０ｂの先端部に連接された第１、第２摺動部１３０ａ、１３０ｂとを備えている。第１、第２摺動部１３０ａ、１３０ｂは、第１可動接点１００の回転に応じて互いに異なる摺動軌道で第１固定接点３００上を摺動し得るように配置されている。【選択図】      図１Ａ
2013114886.tif 000002
【特許請求の範囲】
【請求項１】
固定接点又は抵抗体上を可動可能な可動接点において、
当該可動接点の可動に応じて互いに異なる摺動軌道で固定接点又は抵抗体上を摺動し得るように配置された第１、第２摺動部を備えている可動接点。
【請求項２】
請求項１記載の可動接点において、
前記第１摺動部は隣り合う２つの第１脚を有しており、
前記第２摺動部は隣り合う２つの第２脚を有しており、
前記第１、第２脚は、一方の前記第１脚の摺動軌道が前記第２脚の摺動軌道の間に位置すると共に、一方の前記第２脚の摺動軌道が前記第１脚の摺動軌道の間に位置するように配置されている可動接点。
【請求項３】
請求項１又は２記載の可動接点において、
前記第１、第２摺動部が互いに異なる摺動軌道で固定接点又は抵抗体上を摺動し得るように設けられたベースを更に備えている可動接点。
【請求項４】
請求項１又は２の可動接点において、
ベースと、
前記ベースに設けられた第１、第２アームとを更に備えており、
前記第１、第２摺動部は、前記第１、第２アームに設けられており、
前記第１、第２アームは、前記第１、第２摺動部が互いに異なる摺動軌道で固定接点又は抵抗体上を摺動し得るように前記ベースから延びている可動接点。
【請求項５】
固定接点又は抵抗体上を回転可能な請求項１〜４の何れかに記載の可動接点において、
前記第１、第２摺動部の摺動軌道が環状である可動接点。
【請求項６】
請求項１〜４の何れかに記載の可動接点と、
固定接点又は抵抗体とを備えており、
前記可動接点の可動により、当該可動接点の前記第１、第２摺動部が互いに異なる摺動軌道で前記固定接点又は抵抗体上を摺動可能である接点構造。
【請求項７】
請求項５記載の可動接点と、
環状に間隔をあけて配置された複数の第１固定接点とを備えており、
前記可動接点は、前記第１固定接点上を回転可能となっており、
前記可動接点の回転により、前記第１、第２摺動部が互いに異なる摺動軌道で前記第１固定接点上を摺動可能である接点構造。
【請求項８】
請求項７記載の接点構造において、
前記可動接点は、当該可動接点の回転により前記第１固定接点上を摺動可能な第３、第４摺動部を更に有しており、
前記第１固定接点は、環状に間隔をあけて配置された複数の第１信号用接点、複数の第２信号用接点及び複数のコモン接点であり、
前記第１、第２、第３、第４摺動部の何れか一つが前記第１信号用接点の何れか一つに接触するとき、前記第１、第２、第３、第４摺動部の残りの何れか一つが前記コモン接点の何れか一つに接触し、
前記第１、第２、第３、第４摺動部の何れか一つが前記第２信号用接点の何れか一つに接触するとき、前記第１、第２、第３、第４摺動部の残りの何れか一つが前記コモン接点の何れか一つに接触する接点構造。
【請求項９】
請求項７又は８記載の接点構造において、
前記第１固定接点の内側に配置された第２固定接点と、
前記第２固定接点から前記第１固定接点の外側に延びており且つ前記可動接点の第１、第２摺動部の摺動軌道に交差した引き出し線と、
前記引き出し線の前記摺動軌道との交差部分を少なくとも覆うカバーとを更に備えている接点構造。
【発明の詳細な説明】
【技術分野】
【０００１】
本発明は可動接点及びこれを備えた接点構造に関する。
【背景技術】
【０００２】
従来の接点構造としては、入力装置の回転操作可能な操作体の回転を検出可能な回転検出手段を構成しているものがある。前記接点構造は、操作体の回転に伴って回転可能な可動接点と、環状に間隔をあけて配置された複数の固定接点とを有している。可動接点は、当該可動接点の回転により、固定接点上を選択的に摺動可能な３つの摺動部を有している（特許文献１参照）。
【先行技術文献】
【特許文献】
【０００３】
【特許文献１】特開２００１−１４８２１９号公報
【発明の概要】
【発明が解決しようとする課題】
【０００４】
前記可動接点の全ての摺動部は、同じ摺動軌道で固定接点上を摺動するように配置されている。このため、固定接点が磨耗し易かった。
【０００５】
本発明は、上記事情に鑑みて創案されたものであって、その目的とするところは、固定接点又は抵抗体の磨耗を低減することができる可動接点及びこれを備えた接点構造を提供することにある。
【課題を解決するための手段】
【０００６】
本発明の可動接点は、固定接点又は抵抗体上を可動可能である。この可動接点は、当該可動接点の可動に応じて互いに異なる摺動軌道で固定接点又は抵抗体上を摺動し得るように配置された第１、第２摺動部を備えている。
【０００７】
このような発明の態様による場合、可動接点の可動に応じて第１、第２摺動部が互いに異なる摺動軌道で固定接点又は抵抗体上を摺動し得るように配置されている。よって、前記可動接点は、第１、第２摺動部が同じ摺動軌道で固定接点又は抵抗体上を摺動する場合に比べて、固定接点又は抵抗体の磨耗を低減することができる。
【０００８】
前記第１摺動部は隣り合う２つの第１脚を有する構成とすることが可能である。前記第２摺動部は隣り合う２つの第２脚を有する構成とすることが可能である。前記第１、第２脚は、一方の前記第１脚の摺動軌道が前記第２脚の摺動軌道の間に位置すると共に、一方の前記第２脚の摺動軌道が前記第１脚の摺動軌道の間に位置するように配置された構成とすることが可能である。
【０００９】
このような発明の態様による場合、第１、第２摺動部の第１、第２脚は、一方の前記第１脚の摺動軌道が前記第２脚の摺動軌道の間に位置すると共に、一方の前記第２脚の摺動軌道が前記第１脚の摺動軌道の間に位置するように配置されている。すなわち、第１、第２摺動部が、部分的に重なって配置されているので、第１、第２摺動部が摺動方向に重ならないように配置される場合に比べて、前記可動接点の幅寸法を小さくすることが可能になる。
【００１０】
前記可動接点は、前記第１、第２摺動部が互いに異なる摺動軌道で固定接点又は抵抗体上を摺動し得るように設けられたベースを更に備えた構成とすることが可能である。又は、前記可動接点は、ベースと、前記ベースに設けられた第１、第２アームとを更に備えた構成とすることが可能である。前記第１、第２摺動部は、前記第１、第２アームに設けられた構成とすることが可能である。前記第１、第２アームは、前記第１、第２摺動部が互いに異なる摺動軌道で固定接点又は抵抗体上を摺動し得るように前記ベースから延びている。
【００１１】
前記可動接点が第１固定接点又は抵抗体上を回転可能である場合、前記第１、第２摺動部の摺動軌道が環状とすることが可能である。
【００１２】
本発明の第１接点構造は、上記した何れかの態様の可動接点と、固定接点又は抵抗体とを備えた構成とすることが可能である。前記可動接点の可動により、当該可動接点の前記第１、第２摺動部が互いに異なる摺動軌道で前記固定接点又は抵抗体上を摺動可能である。
【００１３】
本発明の第２接点構造は、上記した可動接点と、環状に間隔をあけて配置された複数の第１固定接点とを備えた構成とすることが可能である。前記可動接点は、前記第１固定接点上を回転可能となっている。前記可動接点の回転により、前記第１、第２摺動部が互いに異なる摺動軌道で前記第１固定接点上を摺動可能になっている。
【００１４】
前記可動接点は、当該可動接点の回転により前記第１固定接点上を摺動可能な第３、第４摺動部を更に有する構成とすることが可能である。前記第１固定接点は、環状に間隔をあけて配置された複数の第１信号用接点、複数の第２信号用接点及び複数のコモン接点とすることが可能である。前記第１、第２、第３、第４摺動部の何れか一つが前記第１信号用接点の何れか一つに接触するとき、前記第１、第２、第３、第４摺動部の残りの何れか一つが前記コモン接点の何れか一つに接触し、前記第１、第２、第３、第４摺動部の何れか一つが前記第２信号用接点の何れか一つに接触するとき、前記第１、第２、第３、第４摺動部の残りの何れか一つが前記コモン接点の何れか一つに接触するようになっている。
【００１５】
このような発明の態様による場合、４つの摺動部が第１、第２信号用接点及びコモン接点に選択的に接触するようになっているので、３つ以下の摺動部が第１、第２信号用接点及びコモン接点に選択的に接触する場合に比べて、第１、第２信号用接点及びコモン接点の数を減らすことが可能になる。
【００１６】
前記第２接点構造は  前記第１固定接点の内側に配置された第２固定接点と、前記第２固定接点から前記第１固定接点の外側に延びており且つ前記可動接点の第１、第２摺動部の摺動軌道に交差した引き出し線と、前記引き出し線の前記摺動軌道との交差部分を少なくとも覆うカバーとを更に備えた構成とすることが可能である。
【００１７】
このような発明の態様による場合、カバーが引き出し線の摺動軌道との交差部分を覆っているので、第１固定接点、この内側に配置される第２固定接点及び引き出し線を基板の同一面に設けることができる。よって、前記第２接点構造を備えた装置の低コスト化を図ることができる。
【図面の簡単な説明】
【００１８】
【図１Ａ】本発明の実施例１に係る接点構造の正面、平面及び右側面を表した概略的分解斜視図である。
【図１Ｂ】本発明の実施例１に係る接点構造の正面、底面及び右側面を表した概略的分解斜視図である。
【図２】前記接点構造の第１可動接点の概略的平面図である。
【図３】前記接点構造の第１、第２固定接点及びカバーの概略的平面図である。
【図４Ａ】前記接点構造の第１、第２固定接点及び透過させたカバーの概略的平面図であって、第１可動接点の摺動部の摺動軌道を表した図である。
【図４Ｂ】前記接点構造の第１、第２固定接点及び透過させたカバーの概略的平面図であって、従来の可動接点の摺動部の摺動軌道を表した図である。
【発明を実施するための形態】
【００１９】
以下、本発明の実施例１に係る接点構造について図１Ａ〜図４Ｂを参照しつつ説明する。
【実施例１】
【００２０】
図１Ａ及び図１Ｂに示す接点構造は、図示しない入力装置の回転操作入力及び押下操作入力を検出するための接点構造として使用される。この接点構造は、第１可動接点１００（特許請求の範囲の可動接点）と、第２可動接点２００と、複数の第１固定接点３００と、第２固定接点４００ａ、４００ｂと、引き出し線５１０、５２１、５２２と、カバー６００とを備えている。第１可動接点１００及び第１固定接点３００が前記入力装置のリング状のダイヤルによる回転操作入力を検出する回転検出手段を構成し、第２可動接点２００及び第２固定接点４００ａ、４００ｂが前記入力装置のダイヤルの内側に配置された押下ボタンによる押下操作入力を検出する押下検出手段を構成している。第１固定接点３００、第２固定接点４００ａ、４００ｂ、引き出し線５１０、５２１、５２２及びカバー６００は、前記入力装置の基板の第１面上に設けられる。第１可動接点１００は前記基板の第１面上を第１固定接点３００に沿って回転可能に配置される。第２可動接点２００は、前記基板の第１面の第２固定接点４００ｂ上に配置される。以下、前記接点構造の各構成要素について詳しく説明する。
【００２１】
第１可動接点１００は導電性を有するリング状の金属板である。この第１可動接点１００は、図１Ａ〜図２に示すように、ベース１１０と、アーム１２０ａ、１２０ｂ、１２０ｃ、１２０ｄ（第１、第２、第３、第４アーム）と、摺動部１３０ａ、１３０ｂ、１３０ｃ、１３０ｄ（第１、第２、第３、第４摺動部）とを有している。ベース１１０は、円環状のリング１１１と、このリング１１１の外周部に９０°ピッチ間隔で放射状に設けられた円環状の４つの固着部１１２とを有している。固着部１１２は、上記入力装置のダイヤルに直接的又は間接的に固着可能となっている。ベース１１０の固着部１１２がダイヤルに固着されることにより、ダイヤルの回転に伴って第１可動接点１００が第１固定接点３００に沿って周方向に回転可能となる。
【００２２】
アーム１２０ａは、ベース１１０の固着部１１２に連接され且つ当該リング１１１の軸方向（第１固定接点３００側）に傾斜した円弧状の板である。アーム１２０ａは、二股状の先端部１２１ａ、１２２ａを有している。アーム１２０ｃはアーム１２０ａと同じ形状となっている。アーム１２０ｂ、１２０ｄの形状は、後述するようにアーム１２０ａ、１２０ｃの形状と若干相違している。図２中の１２１ｂ、１２２ｂはアーム１２０ｂの二股状の先端部、１２１ｃ、１２２ｃはアーム１２０ｃの二股状の先端部、１２１ｄ、１２２ｄはアーム１２０ｄの二股状の先端部である。
【００２３】
摺動部１３０ａは、アーム１２０ａの先端部１２１ａ、１２２ａに連接され且つリング１１１の半径方向に隣り合う脚部１３１ａ、１３２ａ（第１脚部）を有している。脚部１３１ａ、１３２ａは、リング１１１の軸方向（第１固定接点３００側）に凸の半円弧状の板である。摺動部１３０ｂ、１３０ｃ、１３０ｄは摺動部１３０ａと同じ形状である。図２中の１３１ｂ、１３２ｂは、摺動部１３０ｂの脚部（第２脚部）、１３１ｃ、１３２ｃは摺動部１３０ｃの脚部（第３脚部）、１３１ｄ、１３２ｄは摺動部１３０ｄの脚部（第４脚部）である。第１可動接点１００の回転に応じて、脚部１３１ａ、１３２ａ、１３１ｂ、１３２ｂ、１３１ｃ、１３２ｃ、１３１ｄ、１３２ｄが基板の第１面の第１固定接点３００上を前記周方向（摺動方向）に摺動可能となっている。
【００２４】
なお、脚部１３１ａ、１３２ａが基板の第１面の第１固定接点３００上を摺動することにより、当該基板の第１面上に描かれる円環状の軌跡が、図３に破線で示す脚部１３１ａ、１３２ａの摺動軌道ｒ１、ｒ２となる。また、脚部１３１ｂ、１３２ｂが基板の第１面の第１固定接点３００上を摺動することにより、当該基板の第１面上に描かれる円環状の軌跡が、図３に破線で示す脚部１３１ｂ、１３２ｂの摺動軌道ｒ３、ｒ４となる。脚部１３１ｃ、１３２ｃの摺動軌道は、脚部１３１ａ、１３２ａの摺動軌道と同じｒ１、ｒ２（摺動部１３０ａ、１３０ｃの摺動軌道）である。脚部１３１ｄ、１３２ｄの摺動軌道は、脚部１３１ｂ、１３２ｂの摺動軌道と同じｒ３、ｒ４（摺動部１３０ｂ、１３０ｄの摺動軌道）である。すなわち、摺動部１３０ａ、１３０ｃの摺動軌道が同じであり、摺動部１３０ｂ、１３０ｄの摺動軌道が同じである。
【００２５】
アーム１２０ａ、１２０ｂ、１２０ｃ、１２０ｄは、摺動部１３０ａ、１３０ｃの摺動軌道ｒ１、ｒ２と摺動部１３０ｂ、１３０ｄの摺動軌道ｒ３、ｒ４とが異なるように、ベース１１０から延びている。具体的には、アーム１２０ａ、１２０ｃが、アーム１２０ｂ、１２０ｄよりも前記半径方向の外側に張り出すように延びることにより、摺動軌道ｒ２が摺動軌道ｒ３と摺動軌道ｒ４との間に位置し、摺動軌道ｒ３が摺動軌道ｒ１と摺動軌道ｒ２との間に位置している。この点で、アーム１２０ａ、１２０ｃの形状とアーム１２０ｂ、１２０ｄの形状とが相違している。
【００２６】
第２可動接点２００は、図１Ａ及び図１Ｂに示すように、導電性を有するドーム状の金属板である。第２可動接点２００は、周縁部２１０と、頂部２２０とを有している。周縁部２１０は第２固定接点４００ｂ上に設置される。頂部２２０は、第２固定接点４００ａに対向配置されると共に、上記入力装置の押下ボタンの下側に配置される。第２可動接点２００の頂部２２０が前記押下ボタンに押下されることにより、第２可動接点２００が第２固定接点４００ａ側に弾性変形（反転）し、第２固定接点４００ａに接触可能となっている。
【００２７】
第１固定接点３００は、図３に示すように、３つの第１信号用接点３１０、３つの第２信号用接点３２０、３つのコモン接点３３０及び複数のダミー接点３４０（３４０ａ、３４０ｂを含む。）である。第１、第２信号用接点３１０、３２０、コモン接点３３０及びダミー接点３４０は、上記入力装置の基板の第１面の摺動軌道ｒ１〜ｒ４上に環状に間隔をあけて配設された導体である。第１、第２信号用接点、コモン接点及びダミー接点は、３４０ａ、３２０、３４０、３２０、３４０、３２０、３４０、３３０、３４０、３３０、３４０、３３０、３４０、３１０、３４０、３１０、３４０、３１０、３４０ｂの順で図３において反時計回りで配置されている。
【００２８】
第１、第２信号用接点３１０、３２０は、前記基板の第１面、その裏側の第２面及び／又は基板内部に設けられた引き出し線に接続されている。前記引き出し線は、前記入力装置の制御部に接続される。コモン接点３３０は、前記基板の第１面、第２面及び／又は基板内部に設けられた引き出し線に接続されている。前記引き出し線は、ＧＮＤ接続される。ダミー接点３４０（３４０ａ、３４０ｂを含む。）は独立している（すなわち、他に接続されない。）。ダミー接点３４０ａと、ダミー接点３４０ｂとの間には間隙が生じている。
【００２９】
第１信号用接点３１０、３２０には所定の電圧が印加される。電圧が第１信号用接点３１０、３２０に印加された状態で、第１可動接点１００が回転すると、摺動部１３０ａ、１３０ｂ、１３０ｃ、１３０ｄの何れか一つが第１信号用接点３１０の何れか一つに接触すると共に、摺動部１３０ａ、１３０ｂ、１３０ｃ、１３０ｄの残りの何れか一つがコモン接点３３０の何れか一つに接触する。これにより、第１パルス信号が第１信号用接点３１０に接続された引き出し線を通じて出力される。摺動部１３０ａ、１３０ｂ、１３０ｃ、１３０ｄの何れか一つが第２信号用接点３２０の何れか一つに接触すると共に、摺動部１３０ａ、１３０ｂ、１３０ｃ、１３０ｄの残りの何れか一つがコモン接点３３０の何れか一つに接触する。これにより、第２パルス信号が第２信号用接点３２０の引き出し線を通じて出力される。第１信号用接点３１０、３２０のパターンは、第１パルス信号と第２パルス信号との位相がずれるように設定されている。第１、第２パルス信号のうちいずれが先に上記入力装置の制御部に入力されるかにより、前記制御部が上記入力装置のダイヤルの回転方向を検出可能となっている。また、第１、第２パルス信号が前記制御部にカウントされることにより、前記制御部がダイヤルの回転量（すなわち、回転角）を検出可能となっている。このように第１可動接点１００及び第１固定接点３００が前記入力装置の回転操作入力を検出する回転検出手段として機能している。
【００３０】
第２固定接点４００ａは、図３に示すように、前記基板の第１面上の第１固定接点３００の内側に設けられた円形の導体である。第２固定接点４００ｂは、前記基板の第１面上に第２固定接点４００ａと同心円状に設けられた略Ｃ字状の導体である。引き出し線５１０は、前記基板の第１面上に設けられ、第２固定接点４００ａに接続されている。引き出し線５１０は、第２固定接点４００ａからダミー接点３４０ａとダミー接点３４０ｂとの間を通って第１固定接点３００の外側（第１固定接点３００により確定される仮想円の外側）に延びている。引き出し線５２１、５２２は、前記基板の第１面上に設けられ、第２固定接点４００ｂの２つの端部に接続されている。引き出し線５２１、５２２は、第２固定接点４００ｂからダミー接点３４０ａとダミー接点３４０ｂとの間を通って前記仮想円の外側に延びている。すなわち、引き出し線５１０、５２１、５２２は、摺動軌道ｒ１〜ｒ４に交差している。引き出し線５１０は上記入力装置の制御部に接続される。引き出し線５２１、５２２はＧＮＤ接続される。第２可動接点２００の頂部２２０が第２固定接点４００ａに接触に接触することにより、第２固定接点４００ａ、４００ｂが導通し、上記入力装置の押下ボタンの押下操作入力を示す信号が引き出し線５１０を通じて前記制御部に出力される。このように第２可動接点２００及び第２固定接点４００ａ、４００ｂが前記入力装置の押下操作入力を検出する押下検出手段として機能している。
【００３１】
カバー６００は、図３に示すように、上記基板の第１面上に設けられた絶縁体又はレジストである。カバー６００は、扇状のカバー本体６１０と、リング状のサークル６２０とを有している。カバー本体６１０は、引き出し線５１０、５２１、５２２を、第２固定接点４００ａの近傍から前記仮想円の外側まで覆っている。すなわち、カバー本体６１０が引き出し線５１０、５２１、５２２の摺動軌道ｒ１〜ｒ４との交差部分を覆っている。また、カバー本体６１０は、ダミー接点３４０ａ、３４０ｂの内側部も覆っている。サークル６２０は、カバー本体６１０の外縁部に連接され且つ第１固定接点３００の仮想円の外側に同心円状に配置されている。
【００３２】
以上のような接点構造による場合、図４Ａに示すように第１可動接点１００の摺動部１３０ａ、１３０ｃが摺動軌道ｒ１、ｒ２で、摺動部１３０ｂ、１３０ｄが摺動軌道ｒ３、ｒ４で第１固定接点３００上を摺動するので、図４Ｂに示すように４つの摺動部が同じ摺動軌道ｒ５、ｒ６で第１固定接点３００上を摺動する場合に比べて、第１固定接点３００の磨耗を低減させることができる。具体的には、第１固定接点３００の磨耗が略半減する。
【００３３】
しかも、摺動部１３０ａ、１３０ｂ、１３０ｃ、１３０ｄは、脚部１３２ａ、１３２ｃの摺動軌道ｒ２が脚部１３１ｂ、１３１ｄの摺動軌道ｒ３と脚部１３２ｂ、１３２ｄの摺動軌道ｒ４との間に位置し且つ脚部１３１ｂ、１３１ｄの摺動軌道ｒ３が脚部１３１ａ、１３１ｃの摺動軌道ｒ１と脚部１３２ａ、１３２ｃの摺動軌道ｒ２との間に位置するように配置されている。換言すると、摺動部１３０ａ、１３０ｃと摺動部１３０ｂ、１３０ｄとが上記摺動方向に部分的に重なるように配置されている。よって、摺動部１３０ａ、１３０ｃと摺動部１３０ｂ、１３０ｄとが摺動方向に重ならないように配置されている場合に比べて、第１可動接点１００の半径方向の寸法の低減を図ることができる。その結果、第１可動接点１００を備えた入力装置の前記半径方向の寸法の小型化を図ることが可能になる。
【００３４】
また、４つの摺動部１３０ａ、１３０ｂ、１３０ｃ、１３０ｄが、第１、第２信号用接点３１０、３２０及びコモン接点３３０に選択的に接触して第１、第２パルス信号を出力するようになっている。よって、３つ以下の摺動部が第１、第２信号用接点及びコモン接点に選択的に接触する場合に比べて、第１、第２信号用接点及びコモン接点の数を減らすことができる。具体的には、第１、第２パルス信号のパルス数が１２である場合、可動接点の摺動部の数が３であると、第１、第２信号用接点及びコモン接点の数は４となる。これに対し、第１可動接点１００の摺動部の数が４つであるので、第１、第２信号用接点３１０、３２０及びコモン接点３３０の数が３とすることができる。このように第１、第２信号用接点３１０、３２０及びコモン接点３３０の数を減らすことで、上記入力装置の低コスト化を図ることができる。また、第１、第２信号用接点３１０、３２０及びコモン接点３３０の数を減らすことにより、引き出し線５１０、５２１、５２２を第１固定接点３００の間から第１固定接点３００の外側に引き出し易くなる。
【００３５】
なお、上述した接点構造及び第１可動接点１００は、上記実施例１に限定されるものではなく、特許請求の範囲の記載範囲において任意に設計変更することが可能である。以下、詳しく述べる。
【００３６】
上記実施例１では、第１可動接点１００は第１固定接点３００上を周方向に回転可能なリング状の金属板であるとした。しかし、第１可動接点は、固定接点又は抵抗体上を可動可能である限り、任意に設計変更することが可能である。例えば、第１可動接点が直線状の固定接点又は抵抗体上を直線移動可能な構成とすることが可能である。また、第１可動接点がリング状の抵抗体上を回転可能な構成とすることが可能である。
【００３７】
上記実施例１では、第１可動接点１００は、ベース１１０と、アーム１２０ａ、１２０ｂ、１２０ｃ、１２０ｄと、摺動部１３０ａ、１３０ｂ、１３０ｃ、１３０ｄとを有するとした。しかし、第１可動接点は、当該可動接点の可動に応じて互いに異なる摺動軌道で固定接点又は抵抗体上を摺動し得るように配置された第１、第２摺動部を備えている限り任意に設計変更することが可能である。例えば、第１可動接点は、ベースと、このベースに互いに異なる摺動軌道で固定接点又は抵抗体上を摺動し得るように設けられた第１、第２摺動部とを備えた構成とすることが可能である。
【００３８】
上記実施例１では、摺動部１３０ａ、１３０ｂ（第１、第２摺動部）の摺動軌道が、円環状であるとした。しかし、第１、第２摺動部の摺動軌道は、これに限定されるものではない。例えば、第１可動接点が直線状の固定接点又は抵抗体上を直線移動可能である場合、第１、第２摺動部の摺動軌道は直線状となる。
【００３９】
上記実施例１では、摺動部１３０ａ（第１摺動部）は、脚部１３１ａ、１３２ａを有し、摺動部１３０ｂ（第２摺動部）は、脚部１３１ｂ、１３２ｂを有するとした。しかし、第１、第２摺動部は、互いに異なる摺動軌道で固定接点又は抵抗体上を摺動し得る限り任意に設計変更することが可能である。よって、第１、第２摺動部は一つの脚部のみを有する構成とすることが可能であるし、３以上の脚部を有する構成とすることが可能である。なお、第１可動接点が直線状の固定接点又は抵抗体上を直線移動可能な構成とする場合でも、第１、第２摺動部は一つの脚部のみを有する構成とすることが可能であるし、上記実施例１と同様の構成とすることが可能であるし、３以上の脚部を有する構成とすることが可能である。
【００４０】
上記実施例１では、摺動部１３０ａ、１３０ｃの摺動軌道が同じであり、摺動部１３０ｂ、１３０ｄの摺動軌道が同じであるとした。しかし、第１、第２、第３、第４摺動部の摺動軌道が相違するように、第１、第２、第３、第４摺動部の位置をアレンジすることが可能である。
【００４１】
上記実施例１では、アーム１２０ａ、１２０ｂ（第１、第２アーム）は、ベース１１０の固着部１１２に連接され且つ当該リング１１１の軸方向（第１固定接点３００側）に傾斜した円弧状の板であるとした。しかし、第１、第２アームは、第１、第２摺動部が可動接点の可動に応じて互いに異なる摺動軌道で固定接点又は抵抗体上を摺動し得るように延びている限り任意に設計変更することが可能である。
【００４２】
上記実施例１では、ベース１１０は、リング１１１と、４つの固着部１１２とを有しているとした。しかし、ベースは、上記第１、第２アーム又は第１、第２摺動部が設けられる限り任意に設計変更することが可能である。例えば、円板状のベースに、第１、第２アーム又は第１、第２摺動部を設けることが可能である。また、ベースは板状である必要はなく、ダイヤルに蒸着させた導体等とすることが可能である。
【００４３】
上記実施例１では、第１固定接点３００は、３つの第１信号用接点３１０と、３つの第２信号用接点３２０と、３つのコモン接点３３０と、複数のダミー接点３４０（３４０ａ、３４０ｂを含む。）とを有するとした。しかし、第１固定接点は、上記第１可動接点の可動に応じて前記第１、第２摺動部が互いに異なる摺動軌道で摺動可能な導体である限り任意に設計変更することが可能である。また、上記実施例１では、第１信号用接点３１０、第２信号用接点３２０と、コモン接点３３０の数は３つであるとしたが、これに限定されるものではない。ダミー接点３４０は省略可能である。
【００４４】
上記実施例１では、接点構造は、第２可動接点２００、第２固定接点４００ａ、４００ｂ、引き出し線５１０、５２１、５２２及びカバー６００を備えているとした。しかし、本発明の接点構造は、第２可動接点、第２固定接点、引き出し線及びカバーを省略した構成とすることが可能である。
【００４５】
上記実施例１では、第２可動接点２００及び第２固定接点４００ａ、４００ｂは入力装置の押下操作入力を検出する押下検出手段であるとしたが、これに限定されるものではない。例えば、第２可動接点２００に替えて、第２固定接点４００ａ、４００ｂに電子部品を接続するように設計変更することが可能である。電子部品としては、ＬＥＤ、ライン型の指紋認証センサ、マイクロフォン又は近接スイッチ等がある。前記近接スイッチとしては、上記押下ボタンに取り付けられた磁石の移動に応じて磁界の変化を検出する磁気センサ、上記押下ボタンに取り付けられた金属板の移動に応じて当該金属板との間の静電容量が変化する静電センサ又はフォトインタラプタ等の光学センサを用いることが可能である。また、第２固定接点は少なくとも一つあれば良い。この場合、ケーブルやピン等の別の接続手段を用いて、第２可動接点２００や前記電子部品をＧＮＤ接続すれば良い。
【００４６】
上記実施例１では、引き出し線５２１、５２２が第２固定接点４００ｂに接続されているとした。しかし、引き出し線５２１、５２２は省略することが可能である。この場合、第２固定接点４００ｂは第１固定接点のコモン接点に接続される。また、上記実施例１では、引き出し線５１０、５２１、５２２は、基板の第１面上に設けられているとしたが、基板の第１、第２面及び／又は内部に設けることが可能である。また、引き出し線は、ダミー接点３４０ａとダミー接点３４０ｂとの間を以外の隣り合う第１固定接点の間を通って第２固定接点から前記第１固定接点の外側に延びる構成とすることが可能である。
【００４７】
上記実施例１では、第２可動接点２００は導電性を有するドーム状の金属プレートであるとした。しかし、第２可動接点は、第２固定接点に対向配置され、前記第２固定接点に向けて弾性変形又は前記第２固定接点に向けて可動することにより当該第２固定接点に接触可能である限り任意に設計変更することが可能である。例えば、第２可動接点は、断面半円弧状の導電板とすることが可能である。
【００４８】
上記実施例１では、カバー６００は、カバー本体６１０と、サークル６２０とを備えているとした。しかし、カバーは、第２固定接点に接続された引き出し線の第１、第２摺動部の摺動軌道との交差部分を少なくとも覆うものである限り任意に設計変更することが可能である。
【００４９】
なお、上記実施の形態では、接点構造及び第１可動接点の各部を構成する素材、形状、寸法、数及び配置等はその一例を説明したものであって、同様の機能を実現し得る限り任意に設計変更することが可能である。なお、本発明の接点構造及び第１可動接点は、入力装置の検出手段に用いられるとしたが、これに限定されるものではない。
【符号の説明】
【００５０】
１００・・・・第１可動接点（特許請求の範囲の可動接点）
１１０・・・ベース
１１１・・リング
１１２・・固着部
１２０ａ・・アーム（第１アーム）
１２０ｂ・・アーム（第２アーム）
１２０ｃ・・アーム（第３アーム）
１２０ｄ・・アーム（第４アーム）
１３０ａ・・摺動部（第１摺動部）
１３１ａ・脚部（第１脚部）
１３２ａ・脚部（第１脚部）
１３０ｂ・・摺動部（第２摺動部）
１３１ｂ・脚部（第２脚部）
１３２ｂ・脚部（第２脚部）
１３０ｃ・・摺動部（第３摺動部）
１３１ｃ・脚部（第３脚部）
１３２ｃ・脚部（第３脚部）
１３０ｄ・・摺動部（第４摺動部）
１３１ｄ・脚部（第４脚部）
１３２ｄ・脚部（第４脚部）
２００・・・・第２可動接点
３００・・・・第１固定接点
３１０・・・第１信号用接点
３２０・・・第２信号用接点
３３０・・・コモン接点
３４０・・・ダミー接点
ｒ１、ｒ２・摺動軌道（摺動部１３０ａ、１３０ｃの摺動軌道）
ｒ３、ｒ４・摺動軌道（摺動部１３０ｂ、１３０ｄの摺動軌道）
４００ａ・・・第２固定接点
４００ｂ・・・第２固定接点
５１０・・・・引き出し線
５２１・・・・引き出し線
５２２・・・・引き出し線
６００・・・・カバー
６１０・・・カバー本体
６２０・・・サークル
【図１Ａ】
2013114886.tif 000003
【図１Ｂ】
2013114886.tif 000004
【図２】
2013114886.tif 000005
【図３】
2013114886.tif 000006
【図４Ａ】
2013114886.tif 000007
【図４Ｂ】
2013114886.tif 000008
【手続補正書】
【提出日】平成24年12月21日(2012.12.21)
【手続補正１】
【補正対象書類名】明細書
【補正対象項目名】００１８
【補正方法】変更
【補正の内容】
【００１８】
【図１Ａ】本発明の実施例１に係る接点構造の正面、平面及び右側面を表した概略的分解斜視図である。
【図１Ｂ】本発明の実施例１に係る接点構造の正面、底面及び右側面を表した概略的分解斜視図である。
【図２】前記接点構造の第１可動接点の概略的平面図である。
【図３】前記接点構造の第１、第２固定接点及びカバーの概略的平面図である。
【図４Ａ】前記接点構造の第１、第２固定接点及び透過させたカバーの概略的平面図であって、第１可動接点の摺動部の摺動軌道を表した図である。
【図４Ｂ】前記接点構造の第１、第２固定接点及び透過させたカバーの概略的平面図であって、比較例の可動接点の摺動部の摺動軌道を表した図である。
【手続補正２】
【補正対象書類名】明細書
【補正対象項目名】００２４
【補正方法】変更
【補正の内容】
【００２４】
なお、脚部１３１ａ、１３２ａが基板の第１面の第１固定接点３００上を摺動することにより、当該基板の第１面上に描かれる円環状の軌跡が、図２に破線で示す脚部１３１ａ、１３２ａの摺動軌道ｒ１、ｒ２となる。また、脚部１３１ｂ、１３２ｂが基板の第１面の第１固定接点３００上を摺動することにより、当該基板の第１面上に描かれる円環状の軌跡が、図２に破線で示す脚部１３１ｂ、１３２ｂの摺動軌道ｒ３、ｒ４となる。脚部１３１ｃ、１３２ｃの摺動軌道は、脚部１３１ａ、１３２ａの摺動軌道と同じｒ１、ｒ２（摺動部１３０ａ、１３０ｃの摺動軌道）である。脚部１３１ｄ、１３２ｄの摺動軌道は、脚部１３１ｂ、１３２ｂの摺動軌道と同じｒ３、ｒ４（摺動部１３０ｂ、１３０ｄの摺動軌道）である。すなわち、摺動部１３０ａ、１３０ｃの摺動軌道が同じであり、摺動部１３０ｂ、１３０ｄの摺動軌道が同じである。
【手続補正３】
【補正対象書類名】明細書
【補正対象項目名】００２９
【補正方法】変更
【補正の内容】
【００２９】
第１、第２信号用接点３１０、３２０には所定の電圧が印加される。電圧が第１信号用接点３１０、３２０に印加された状態で、第１可動接点１００が回転すると、摺動部３０ａ、１３０ｂ、１３０ｃ、１３０ｄの何れか一つが第１信号用接点３１０の何れか一つに接触すると共に、摺動部１３０ａ、１３０ｂ、１３０ｃ、１３０ｄの残りの何れか一つがコモン接点３３０の何れか一つに接触する。これにより、第１パルス信号が第１信号用接点３１０に接続された引き出し線を通じて出力される。摺動部１３０ａ、１３０ｂ、１３０ｃ、１３０ｄの何れか一つが第２信号用接点３２０の何れか一つに接触すると共に、摺動部１３０ａ、１３０ｂ、１３０ｃ、１３０ｄの残りの何れか一つがコモン接点部３３０の何れか一つに接触する。これにより、第２パルス信号が第２信号用接点３２０の引き出し線を通じて出力される。第１信号用接点３１０、３２０のパターンは、第１パルス信号と第２パルス信号との位相がずれるように設定されている。第１、第２パルス信号のうちいずれが先に上記入力装置の制御部に入力されるかにより、前記制御部が上記入力装置のダイヤルの回転方向を検出可能となっている。また、第１、第２パルス信号が前記制御部にカウントされることにより、前記制御部がダイヤルの回転量（すなわち、回転角）を検出可能となっている。このように第１可動接点１００及び第１固定接点３００が前記入力装置の回転操作入力を検出する回転検出手段として機能している。
【手続補正４】
【補正対象書類名】明細書
【補正対象項目名】００４６
【補正方法】変更
【補正の内容】
【００４６】
上記実施例１では、引き出し線５２１、５２２が第２固定接点４００ｂに接続されているとした。しかし、引き出し線５２１、５２２は省略することが可能である。この場合、第２固定接点４００ｂは第１固定接点のコモン接点に接続される。また、上記実施例１では、引き出し線５１０、５２１、５２２は、基板の第１面上に設けられているとしたが、基板の第１、第２面及び／又は内部に設けることが可能である。また、引き出し線は、ダミー接点３４０ａとダミー接点３４０ｂとの間以外の隣り合う第１固定接点の間を通って第２固定接点から前記第１固定接点の外側に延びる構成とすることが可能である。